(57)【要約】【課題】刷版を用いて得られた画像と刷版を用いずに得られた画像とを重ね合わせた際に予め定められた色合いの画像を得ることができる画像形成システムを提供する。【解決手段】重ね濃度調整用画像が形成されるようにオフセット輪転機１６と電子写真装置２０を制御した後、カメラ４４によって測定された重ね濃度調整用画像の濃度に基づいて、オフセット輪転機１６によって形成された画像と電子写真装置２０によって形成された画像とが重ねられた重ね画像の濃度が、予め定められた濃度となるように、オフセット輪転機１６及び電子写真装置２０の少なくとも一方を制御する。【選択図】図４
2010137375.tif 000002
【特許請求の範囲】
【請求項１】
記録媒体を搬送する搬送路に配置され、当該記録媒体に対して刷版を用いて画像を形成する第１の画像形成手段と、
前記搬送路に配置され、前記第１の画像形成手段により画像が形成された記録媒体に対して形成された画像に重なる画像を刷版を用いずに形成する第２の画像形成手段と、
前記第１の画像形成手段によって形成された画像の濃度を調整するための調整用画像と前記第２の画像形成手段によって形成された画像の濃度を調整するための調整用画像とが重ねられた重ね濃度調整用画像の濃度を測定する測定手段と、
前記重ね濃度調整用画像が形成されるように前記第１の画像形成手段と前記第２の画像形成手段を制御した後、前記重ね濃度調整用画像の濃度を測定するように前記測定手段を制御し、前記測定手段によって測定された前記重ね濃度調整用画像の濃度に基づいて、前記第１の画像形成手段によって形成された画像と前記第２の画像形成手段によって形成された画像とが重ねられた重ね画像の濃度が、予め定められた濃度となるように、前記第１の画像形成手段及び前記第２の画像形成手段の少なくとも一方を制御する制御手段と、
を含む画像形成システム。
【請求項２】
前記第１の画像形成手段は、各頁毎に同じ内容の共通画像を形成し、前記第２の画像形成手段は、前記第１の画像形成手段により画像が形成された記録媒体に対して形成された画像に重なる画像として各頁毎に同じ内容の第２の共通画像を形成する請求項１記載の画像形成システム。
【請求項３】
前記第２の画像形成手段は、更に、各頁毎に内容を変更することが可能な可変画像を形成する請求項２記載の画像形成システム。
【請求項４】
前記第２の共通画像を示す共通画像情報、及び前記第２の画像形成手段によって形成された画像の濃度を調整するための調整用画像を示す調整用画像情報を刷版の製版用として生成する生成手段と、
前記第２の画像形成手段により前記記録媒体に前記共通画像情報により示される第２の共通画像及び前記調整用画像情報により示される第２の調整用画像が形成された際の当該第２の共通画像及び当該第２の調整用画像の各々の画素の大きさが前記第１の画像形成手段によって前記記録媒体に印刷された画像の画素の大きさになるように前記生成手段により生成された共通画像情報及び調整用画像情報を補正する補正手段と、を更に含み、
前記第２の画像形成手段は、前記記録媒体に対して前記補正手段により補正された共通画像情報により示される第２の共通画像及び前記補正手段により補正された調整用画像情報により示される調整用画像を形成する請求項２または請求項３に記載の画像形成システム。
【請求項５】
前記第１の画像形成手段を、黒色以外の色のインキを用いて画像を形成する画像形成手段で構成すると共に、前記第２の画像形成手段を、黒色トナーを用いて画像を形成する画像形成手段で構成し、
前記第２の画像形成手段によって形成されたトナー画像を加熱することにより定着させる定着手段を更に含む請求項１〜請求項４の何れか１項に記載の画像形成システム。
【発明の詳細な説明】
【技術分野】
【０００１】
本発明は、画像形成システムに関する。
【背景技術】
【０００２】
特許文献１には、刷版を用いて記録媒体上に刷版情報の印刷を行う刷版情報印刷部と、当該刷版情報印刷部により刷版情報が印刷される記録媒体と同じ記録媒体上に所定の可変情報の印刷を行う可変情報印刷部と、を有する印刷システムが開示されている。
【特許文献１】特開２００８−１４３０１３号公報
【発明の開示】
【発明が解決しようとする課題】
【０００３】
本発明は、刷版を用いて得られた画像と刷版を用いずに得られた画像とを重ね合わせた際に予め定められた色合いの画像を得ることができる画像形成システムを提供することを目的とする。
【課題を解決するための手段】
【０００４】
上記目的を達成するために、請求項１に記載の画像形成システムは、記録媒体を搬送する搬送路に配置され、当該記録媒体に対して刷版を用いて画像を形成する第１の画像形成手段と、前記搬送路に配置され、前記第１の画像形成手段により画像が形成された記録媒体に対して形成された画像に重なる画像を刷版を用いずに形成する第２の画像形成手段と、前記第１の画像形成手段によって形成された画像の濃度を調整するための調整用画像と前記第２の画像形成手段によって形成された画像の濃度を調整するための調整用画像とが重ねられた重ね濃度調整用画像の濃度を測定する測定手段と、前記重ね濃度調整用画像が形成されるように前記第１の画像形成手段と前記第２の画像形成手段を制御した後、前記重ね濃度調整用画像の濃度を測定するように前記測定手段を制御し、前記測定手段によって測定された前記重ね濃度調整用画像の濃度に基づいて、前記第１の画像形成手段によって形成された画像と前記第２の画像形成手段によって形成された画像とが重ねられた重ね画像の濃度が、予め定められた濃度となるように、前記第１の画像形成手段及び前記第２の画像形成手段の少なくとも一方を制御する制御手段と、を含んで構成されている。
【０００５】
また、請求項２に記載の発明は、請求項１記載の発明において、前記第１の画像形成手段が、各頁毎に同じ内容の共通画像を形成し、前記第２の画像形成手段が、前記第１の画像形成手段により画像が形成された記録媒体に対して形成された画像に重なる画像として各頁毎に同じ内容の第２の共通画像を形成するものである。
【０００６】
また、請求項３に記載の発明は、請求項２記載の発明において、前記第２の画像形成手段が、更に、各頁毎に内容を変更することが可能な可変画像を形成するものである。
【０００７】
また、請求項４に記載の発明は、請求項２または請求項３に記載の発明において、前記第２の共通画像を示す共通画像情報、及び前記第２の画像形成手段によって形成された画像の濃度を調整するための調整用画像を示す調整用画像情報を刷版の製版用として生成する生成手段と、前記第２の画像形成手段により前記記録媒体に前記共通画像情報により示される第２の共通画像及び前記調整用画像情報により示される第２の調整用画像が形成された際の当該第２の共通画像及び当該第２の調整用画像の各々の画素の大きさが前記第１の画像形成手段によって前記記録媒体に印刷された画像の画素の大きさになるように前記生成手段により生成された共通画像情報及び調整用画像情報を補正する補正手段と、を更に含み、前記第２の画像形成手段が、前記記録媒体に対して前記補正手段により補正された共通画像情報により示される第２の共通画像及び前記補正手段により補正された調整用画像情報により示される調整用画像を形成するものである。
【０００８】
また、請求項５に記載の発明は、請求項１〜請求項４の何れか１項に記載の発明において、前記第１の画像形成手段を、黒色以外の色のインキを用いて画像を形成する画像形成手段で構成すると共に、前記第２の画像形成手段を、黒色トナーを用いて画像を形成する画像形成手段で構成し、前記第２の画像形成手段によって形成されたトナー画像を加熱することにより定着させる定着手段を更に含んで構成されている。
【発明の効果】
【０００９】
請求項１に記載の発明によれば、刷版を用いて得られた画像と刷版を用いずに得られた画像とを重ね合わせた際に予め定められた色合いの画像を得ることができる、という効果が得られる。
【００１０】
また、請求項２に記載の発明によれば、各頁毎に同じ内容の重ね画像を形成することができる、という効果が得られる。
【００１１】
また、請求項３に記載の発明によれば、各頁毎に異なる内容の画像を形成することができる、という効果が得られる。
【００１２】
また、請求項４に記載の発明によれば、記録媒体に形成される画像の画素の均一化を図ることができる、という効果が得られる。
【００１３】
更に、請求項５に記載の発明によれば、本構成を有していない場合に比較して、黒色の画像を鮮明に形成することができる、という効果が得られる。
【発明を実施するための最良の形態】
【００１４】
以下、図面を参照して、本発明を実施するための最良の形態について詳細に説明する。なお、本実施形態では、本発明を、オフセット輪転機を用紙搬送方向上流側に、電子写真装置を同下流側に各々有する印刷システムに適用した場合について説明する。
【００１５】
図１には、本実施形態に係る印刷システム１０の構成を示す破断側面図が示されている。
【００１６】
同図に示されるように、印刷システム１０は、連続紙Ｐを矢印Ａ方向に給紙する給紙装置１２と、給紙装置１２によって給紙された連続紙Ｐを挟持して所定方向に搬送する複数の搬送ローラ対２３（図１では１つのみ図示。）と、給紙装置１２よりも連続紙Ｐの搬送方向下流側に設けられ、シアン（Ｃ）、マゼンタ（Ｍ）、イエロー（Ｙ）の各色の画像が形成された刷版１４Ｃ，１４Ｍ，１４Ｙにより、複数の頁毎に共通の内容の第１の共通画像（一例として図８（Ｂ）参照。）及び当該第１の共通画像とは異なる箇所（本実施形態では、連続紙Ｐの幅方向の一端部）に当該第１の共通画像の濃度を調整するための第１の調整用画像（一例として図８（Ｂ）参照。）を給紙装置１２によって給紙された連続紙Ｐに対して印刷（形成）するオフセット輪転機１６と、オフセット輪転機１６よりも連続紙Ｐの搬送方向下流側に設けられ、オフセット輪転機１６により連続紙Ｐに印刷された画像を乾燥させる乾燥機１８と、乾燥機１８よりも連続紙Ｐの搬送方向下流側に設けられ、電子写真方式により、複数の頁毎に共通の内容のブラック（Ｋ）の第２の共通画像（一例として図８（Ａ）参照。）及び当該第２の共通画像の濃度を調整するための第２の調整用画像（一例として図８（Ａ）参照。）を、当該第２の共通画像がオフセット輪転機１６により連続紙Ｐに印刷された第１の共通画像に、第２の調整用画像がオフセット輪転機１６により連続紙Ｐに印刷された第１の調整用画像に各々重なるように連続紙Ｐに対して印刷（形成）すると共に、電子写真方式により、各頁毎に異なる内容となり得るブラックの可変画像を連続紙Ｐに対して印刷する電子写真装置２０と、電子写真装置２０よりも連続紙Ｐの搬送方向下流側に設けられ、オフセット輪転機１６及び電子写真装置２０により画像が印刷された連続紙Ｐの頁単位での裁断、連続紙Ｐの乾燥や冷却等の後処理を行う後処理装置２２と、を備えている。
【００１７】
なお、以下では、第１の共通画像と第２の共通画像が重ねられた画像を「重ね共通画像」といい、第１の調整用画像と第２の調整用画像が重ねられた画像を「重ね濃度調整用画像」という。
【００１８】
オフセット輪転機１６は、刷版１４Ｃが周面に取り付けられた刷胴２４Ｃを有するオフセット印刷部２６Ｃと、刷版１４Ｍが周面に取り付けられた刷胴２４Ｍを有するオフセット印刷部２６Ｍと、刷版１４Ｙが周面に取り付けられた刷胴２４Ｙを有するオフセット印刷部２６Ｙと、を備えており、オフセット印刷部２６Ｃ，２６Ｍ，２６Ｙは、連続紙Ｐの搬送方向上流側から順に並んで配置されている。刷胴２４Ｃ，２４Ｍ，２４Ｙは、ステッピングモータ（図示省略）等の駆動源の駆動力を受けて矢印Ｂ方向に回転する。
【００１９】
図２には、本実施形態に係るオフセット印刷部２６の要部構成を示す破断断面図が示されている。なお、以下、Ｃ，Ｍ，Ｙを区別する必要がない場合は符号末尾のＣ，Ｍ，Ｙを省略する。
【００２０】
同図に示されるように、オフセット印刷部２６には、Ｃ，Ｍ，Ｙの何れかの対応する色の画像が形成された刷版１４が取り付けられた刷胴２４の周囲にインキングローラ３０、湿しローラ３２及びブランケット３６が配設されている。また、オフセット印刷部２６には、連続紙Ｐをブランケット３６の周面に押圧する転写ローラ３８が配設されている。湿しローラ３２は、刷版１４の版面の非画線部を湿し水３４で湿らせるものである。インキングローラ３０は、刷版１４の版面に油性インキ３５をつけるものである。これにより、水と油の反発作用によって、画線部にのみ油性インキ３５が付着する。刷版１４の版面に付着した油性インキ３５は、ステッピングモータ（図示省略）等の駆動源の駆動力を受けて刷胴２４の回転方向（矢印Ｂ方向）と逆方向（矢印Ｃ方向）に回転するブランケット３６の表面に転写され、転写ローラ３８によって連続紙Ｐ上に印刷される。次の色のオフセット印刷部２６では、連続紙Ｐ上に印刷された画像に重ねて次色の画像を印刷する。
【００２１】
また、オフセット印刷部２６は、湿し水３４が湿しローラ３２に供給可能となるように湿し水３４が貯留されているタンクＴ１と湿しローラ３２とを連結する流路を開閉するバルブＶ１と、油性インキ３５がインキングローラ３０に供給可能となるように油性インキ３５が貯留されているタンクＴ２とインキングローラ３０とを連結する流路を開閉するバルブＶ２と、を含んで構成されている。
【００２２】
なお、本実施形態に係る印刷システム１０では、オフセット輪転機１６を用いているが、これに限らず、オフセット枚葉印刷機、凸版印刷機、凹版印刷機、及び孔版印刷機等の刷版を用いて画像を印刷することができる印刷機を適用してもよい。
【００２３】
一方、図１に示されるように、本実施形態にかかる乾燥機１８は、搬送されていた連続紙Ｐに熱風を吹き付けることにより加熱乾燥させる熱風送風部１９が備えられている。なお、本実施形態にかかるオフセット輪転機１６では、インキとして酸化重合インキを用いているため、加熱乾燥するものとされているが、インキとしてＵＶ（紫外線）インキを用いた場合には、紫外線乾燥を行う。
【００２４】
図３には、本実施形態に係る電子写真装置２０の構成を示す破断断面図が示されている。
【００２５】
同図に示されるように、電子写真装置２０は、ステッピングモータ（図示省略）等の駆動源の駆動力を受けて矢印Ｄ方向に所定速度で回転する感光体ドラム４０上に静電潜像を形成し、当該静電潜像をブラックのトナーで現像することにより得られるトナー像を連続紙Ｐに転写することにより画像を印刷するプリンタ部４２と、ＣＣＤ（Charge Coupled Device）により構成されたカメラ４４と、を備えている。
【００２６】
プリンタ部４２には、感光体ドラム４０の周囲に、感光体ドラム４０の表面を均一に帯電させるプレチャージャー４６と、画像情報に基づいて感光体ドラム４０の表面を露光することにより感光体ドラム４０の表面に静電潜像を形成する露光ＬＥＤ（Light Emitting Diode）４８と、ローラ５８が感光体ドラム４０の表面に接触した状態で回転することにより、ブラックのトナー及び現像剤が含まれる現像液を感光体ドラム４０の表面に付与し、感光体ドラム４０に形成された静電潜像を現像する現像器５０と、連続紙Ｐを感光体ドラム４０の表面に押圧することにより連続紙Ｐに画像を転写させる転写器５２と、感光体ドラム４０の表面に付着している残留トナーをクリーニングするクリーナー５４と、連続紙Ｐの表面（画像が形成されている面）を加熱することにより連続紙Ｐ上の画像を連続紙Ｐに定着させる定着器５６と、が配設されている。
【００２７】
更に、図１に示されるように、本実施形態に係る後処理装置２２には、オフセット輪転機１６及び電子写真装置２０により画像が印刷された連続紙Ｐの頁単位での裁断を行うレシプロカッター２３等が配設されている。
【００２８】
カメラ４４は、一例として図４に示されるように、定着器５６よりも連続紙Ｐの搬送方向下流側に配置され、重ね濃度調整用画像を撮像する。なお、本実施形態に係るカメラ４４は、フルカラーの画像を読み取り可能となっている。また、本実施形態では、カメラ４４としてＣＣＤカメラを適用しているが、これに限らず、ＣＭＯＳイメージ・センサ等の他の固体撮像素子を適用してもよい。
【００２９】
図５には、本実施形態に係る印刷システム１０の電気系の要部構成を示すブロック図が示されている。
【００３０】
同図に示されるように、オフセット輪転機１６は、オフセット印刷部２６、システムコントローラ６０、ＲＯＭ（Read Only Memory）６２、ＲＡＭ（Random Access Memory）６４、及びＮＶＭ（Non Volatile Memory)６６を含んで構成されている。システムコントローラ６０には、オフセット印刷部２６、ＲＯＭ６２、ＲＡＭ６４、ＮＶＭ６６、及び後述する電子写真装置２０のシステムコントローラ７０が接続されている。
【００３１】
ＲＯＭ６２は、後述するオフセット印刷処理プログラムや各種パラメータ、制御に必要な各種データ等を予め記憶する記憶手段として機能するものである。ＲＡＭ６４は、各種プログラムの実行時のワークエリア等として用いられるものである。ＮＶＭ６６は、装置の電源スイッチが切られても保持しなければならない各種情報を記憶するものである。
【００３２】
システムコントローラ６０は、ＣＰＵ（中央演算処理装置）及びその周辺回路等から構成され、所定のプログラムに従ってオフセット輪転機１６の全体を制御する制御装置として機能するとともに、各種演算を行う演算装置として機能する。すなわち、システムコントローラ６０は、オフセット印刷部２６の作動を制御すると共に、ＲＯＭ６２、ＲＡＭ６４及びＮＶＭ６６の読み書き制御等を行う。
【００３３】
一方、電子写真装置２０は、プリンタ部４２、カメラ４４、システムコントローラ７０、ＲＯＭ７２、ＲＡＭ７４、ＮＶＭ７６、及び通信インタフェース７８を含んで構成されている。システムコントローラ７０には、プリンタ部４２、カメラ４４、ＲＯＭ７２、ＲＡＭ７４、ＮＶＭ７６、及び通信インタフェース７８が接続されている。
【００３４】
ＲＯＭ７２は、後述するプリンタ印刷処理プログラムや各種パラメータ、制御に必要な各種データ等を予め記憶する記憶手段として機能するものである。ＲＡＭ７４は、各種プログラムの実行時のワークエリア等として用いられるものである。ＮＶＭ７６は、装置の電源スイッチが切られても保持しなければならない各種情報を記憶するものである。
【００３５】
通信インタフェース７８は、ユーザが電子写真装置２０に対して印刷の指示等を行うため等に用いられるホスト装置８０とのインタフェース部である。通信インタフェース７８にはＵＳＢ（Universal Serial Bus）、ＩＥＥＥ１３９４、イーサネット（登録商標）、無線ネットワークなどのシリアルインタフェースやセントロニクスなどのパラレルインタフェースを適用することができる。この部分には、通信を高速化するためのバッファメモリ（図示省略）を搭載しても良い。なお、本実施形態に係る印刷システム１０では、ホスト装置８０としてパーソナル・コンピュータを採用している。
【００３６】
システムコントローラ７０は、ＣＰＵ（中央演算処理装置）及びその周辺回路等から構成され、所定のプログラムに従って電子写真装置２０の全体を制御する制御装置として機能するとともに、各種演算を行う演算装置として機能する。すなわち、システムコントローラ７０は、ホスト装置８０との通信インタフェース７８を介した各種情報の送受信、プリンタ部４２及びカメラ４４の作動の制御、カメラ４４の撮像により得られた画像情報の取得、ＲＯＭ７２、ＲＡＭ７４及びＮＶＭ７６の読み書き制御等を行う。
【００３７】
ところで、本実施形態に係る印刷システム１０では、ホスト装置８０により重ね共通画像を示す共通画像情報及び重ね濃度調整用画像を示す濃度調整用画像情報を各々Ｃ，Ｍ，Ｙ，Ｋの画像情報に分解し、製版機（図示省略）を用いてＣの画像情報により示される画像が形成された刷版１４Ｃ、Ｍの画像情報により示される画像が形成された刷版１４Ｍ、及びＹの画像情報により示される画像が形成された刷版１４Ｙが製版され、ホスト装置８０によりＫの画像情報が電子写真装置２０に出力される。ホスト装置８０から出力されたＫの画像情報は通信インタフェース７８を介してシステムコントローラ７０に取り込まれ、Ｋの画像情報により示される第２の共通画像及び第２の調整用画像が連続紙Ｐに印刷されるようにシステムコントローラ７０によってプリンタ部４２が制御される。
【００３８】
なお、本実施形態に係るホスト装置８０では、電子写真装置２０によってＫの画像情報により示される第２の共通画像及び第２の調整用画像が連続紙Ｐに形成された際の当該第２の共通画像及び第２の調整用画像の画素の大きさがＣ，Ｍ，Ｙの刷版で形成される画像の画素の大きさになるようにＫの画像情報を補正してから当該Ｋの画像情報を電子写真装置２０に出力しているが、これに限らず、システムコントローラ７０で同様にＫの画像情報を補正してもよい。
【００３９】
また、本実施形態に係る印刷システム１０では、ホスト装置８０に複数の頁毎に異なる内容となり得る可変画像（図８（Ａ）参照。）を示す可変画像情報が記憶されており、ホスト装置８０により当該可変画像情報が電子写真装置２０に出力される。ホスト装置８０から出力された可変画像情報は通信インタフェース７８を介してシステムコントローラ７０に取り込まれ、可変画像情報により示される可変画像が連続紙Ｐに印刷されるようにシステムコントローラ７０によってプリンタ部４２が制御される。
【００４０】
本実施形態に係る印刷システム１０では、ホスト装置８０に印刷開始の指示が入力されると、電子写真装置２０がオフセット輪転機１６に対して連続紙Ｐへの画像の印刷の開始を要求する信号を出力する。これに応じて、オフセット輪転機１６は、連続紙Ｐに対して第１の共通画像及び第１の調整用画像を印刷するオフセット印刷処理を実行し、当該オフセット印刷処理の実行を開始すると、その旨を示す信号を電子写真装置２０に出力する。これに応じて、電子写真装置２０は、連続紙Ｐに対してオフセット輪転機１６と同一の印刷速度で、頁毎に重ね濃度調整用画像を印刷した後、頁毎に重ね共通画像及び可変画像を印刷するプリンタ印刷処理を実行する。
【００４１】
次に、図６を参照して、上記オフセット印刷処理が実行される際のオフセット印刷機１６の作用を説明する。なお、図６は、その際にシステムコントローラ６０によって実行されるオフセット印刷処理プログラムの処理の流れを示すフローチャートであり、当該プログラムはＲＯＭ６２の所定領域に予め記憶されている。また、ここでは錯綜を回避するために、オフセット輪転機１６により連続紙Ｐに形成された第１の共通画像及び第１の調整用画像の各々の濃度が安定する頁数として予め定められた頁数だけオフセット輪転機１６により連続紙Ｐに対して第１の共通画像及び第１の調整用画像が既に印刷されている状態で、電子写真装置２０が当該第１の調整用画像に第２の調整用画像を重ねて印刷した場合について説明する。
【００４２】
同図のステップ１００では、後述するプリンタ印刷処理プログラムのステップ２０２の処理により送信された画像情報の受信待ちを行い、次のステップ１０２では、上記ステップ１００で受信した画像情報をＫ，Ｃ，Ｍ，Ｙの画像情報に色分解する。
【００４３】
次のステップ１０４では、Ｋの画像情報により示される第２の調整用画像の濃度が目標濃度であるか否か判定し、肯定判定となった場合にはステップ１０６へ移行し、電子写真装置２０において濃度の調整が不要であることを示す調整不要情報を電子写真装置２０に送信した後、ステップ１０８へ移行する。
【００４４】
一方、ステップ１０４において否定判定となった場合にはステップ１１０へ移行し、上記ステップ１０２の色分解によって得られたＫの画像情報により示される第２の調整用画像の濃度を目標濃度にするための濃度の調整量を示す調整量情報を電子写真装置２０に送信した後、ステップ１０８へ移行する。
【００４５】
ステップ１１０では、上記ステップ１０２の色分解によって得られたＣ，Ｍ，Ｙの画像情報により各々示されるＣ，Ｍ，Ｙの画像の濃度が各々Ｃ，Ｍ，Ｙの目標濃度であるか否かを判定し、肯定判定となった場合にはステップ１１２へ移行する一方、否定判定となった場合にはステップ１１４へ移行し、当該Ｃ，Ｍ，Ｙの画像のうち、目標濃度になっていない色の画像の濃度が当該色の目標濃度になるように当該色に対応しているバルブＶ２を制御することによりインキングローラ３０への油性インキ３５の供給量を調整する。
【００４６】
ステップ１１２では、オフセット印刷部２６に対して本印刷を行わせるように制御を行った後、本オフセット印刷処理プログラムを終了する。なお、上記ステップ１１２の処理により、オフセット印刷部２６では、一例として図８（Ｂ）に示されるように、上記本印刷として連続紙Ｐに対して第１の共通画像の印刷が行われる。
【００４７】
次に、図７を参照して、上記プリンタ印刷処理が実行される際の電子写真装置２０の作用を説明する。なお、図７は、その際にシステムコントローラ７０によって実行されるプリンタ印刷処理プログラムの処理の流れを示すフローチャートであり、当該プログラムはＲＯＭ７２の所定領域に予め記憶されている。また、ここでは錯綜を回避するために、オフセット輪転機１６により連続紙Ｐに形成された第１の共通画像及び第１の調整用画像の各々の濃度が安定する頁数として予め定められた頁数だけオフセット印刷機Ｐにより連続紙Ｐに対して第１の共通画像及び第１の調整用画像が印刷されている状態で、電子写真装置２０が当該第１の調整用画像に第２の調整用画像を重ねて印刷した場合について説明する。
【００４８】
同図のステップ２００では、重ね濃度調整用画像のカメラ４４による撮像待ちを行い、次のステップ２０２では、上記ステップ２００で撮像された重ね濃度調整用画像を示す画像情報をオフセット印刷装置１６に送信する。これに応じて、上述したようにオフセット輪転機１６は調整不要情報又は調整量情報を電子写真装置２０に送信する。
【００４９】
次のステップ２０４では、調整不要情報を受信したか否かを判定し、肯定判定となった場合にはステップ２０６へ移行する。
【００５０】
一方、ステップ２０４において否定判定となった場合にはステップ２０８へ移行し、調整量情報を受信したか否かを判定し、否定判定となった場合にはステップ２０４へ戻る一方、肯定判定となった場合にはステップ２１０へ移行し、上記ステップ２０８で受信した調整量情報により示される濃度の調整量に基づいて電子写真装置２０で印刷される画像の濃度を調整した後、ステップ２０６へ移行する。
【００５１】
なお、本実施形態に係る電子写真装置２０では、ＮＶＭ７６に電子写真装置２０で印刷される画像の濃度を示す濃度情報を記憶したテーブルが予め格納されており、当該テーブルの濃度情報を上記ステップ２０８で受信した調整量情報に基づいて更新し、更新した濃度情報により示される濃度で画像が印刷されるように露光ＬＥＤ４８の発光強度を調整することにより電子写真装置２０によって印刷される画像の濃度を調整しているが、これに限らず、現像器５０に供給するトナーの量を調整することにより電子写真装置２０によって印刷される画像の濃度を調整してもよいし、網点の大きさを調整することにより電子写真装置２０によって印刷される画像の濃度を調整してもよいし、プレチャージャー４６による印加電圧を調整することにより電子写真装置２０によって印刷される画像の濃度を調整してもよい。
【００５２】
ステップ２０６では、プリンタ部４２に対して本印刷を行わせるように制御を行った後、本プリンタ印刷処理プログラムを終了する。なお、上記ステップ２０６の処理により、プリンタ部４２では、一例として図８（Ａ）に示されるように、上記本印刷として連続紙Ｐに対して第２の共通画像及び可変画像の印刷が行われる。従って、オフセット輪転機１６により連続紙Ｐに対して図８（Ｂ）に示される画像が印刷された後、電子写真装置２０により連続紙Ｐに対して図８（Ａ）に示される画像が印刷されると、最終的に図８（Ａ）に示される画像と図８（Ｂ）に示される画像が重なり、図８（Ｃ）に示す画像となる。なお、図８（Ｃ）では、連続紙Ｐに対して重ね共通画像及び可変画像と共に重ね濃度調整用画像が印刷されている場合の例が示されているが、重ね濃度調整用画像は濃度調整を行うときにのみ連続紙Ｐに対して印刷されればよく、本印刷時は連続紙Ｐに対して重ね濃度調整用画像を印刷する必要はない。
【００５３】
以上、本発明を上記実施形態を用いて説明したが、本発明の技術的範囲は上記実施形態に記載の範囲には限定されない。発明の主旨を逸脱しない範囲で上記実施形態に多様な変更または改良を加えることができ、当該変更または改良を加えた形態も本発明の技術的範囲に含まれる。
【００５４】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における状況に応じた組み合わせにより種々の発明が抽出される。上記実施形態に示される全構成要件から幾つかの構成要件が削除されても、効果が得られる限りにおいて、この幾つかの構成要件が削除された構成が発明として抽出される。
【００５５】
例えば、上記実施形態では、オフセット輪転機１６及び電子写真装置２０の各々において濃度調整を行う場合の形態例を挙げて説明したが、本発明はこれに限定されるものではなく、オフセット輪転機１６又は電子写真装置２０の濃度調整を行ってもよい。
【００５６】
また、上記実施形態では、オフセット輪転機１６でＣ，Ｍ，Ｙの画像を印刷し、電子写真装置２０でＫの画像を印刷する場合の形態例を挙げて説明したが、本発明はこれに限定されるものではなく、オフセット輪転機１６及び電子写真装置２０の各々で何色の画像を印刷してもよい。
【００５７】
また、上記実施形態では、オフセット輪転機１６で色分解を行う場合の形態例を挙げて説明したが、本発明はこれに限定されるものではなく、電子写真装置２０で色分解を行ってもよいし、別途に専用の装置を設け、当該装置で色分解を行ってもよい。
【００５８】
また、上記実施形態では、電子写真装置２０を用いたが、本発明はこれに限定されるものではなく、例えば、インクジェット記録方式の画像形成装置を用いてもよく、刷版を用いずに印刷を行う画像形成装置であればよい。
【００５９】
また、上記実施形態では、オフセット印刷処理プログラムがＲＯＭ６２に、プリンタ印刷処理プログラムがＲＯＭ７２に各々予め記憶されている場合の形態例を挙げて説明したが、本発明はこれに限定されるものではなく、これらのプログラムをＣＤ−ＲＯＭやＤＶＤ−ＲＯＭ、ＵＳＢメモリなどのコンピュータ読み取り可能な記録媒体に格納した状態で提供する形態を適用してもよいし、有線又は無線による通信手段を介して配信する形態を適用しても良い。
【００６０】
その他、上記実施形態で説明した印刷システムの構成（図１〜図５を参照。）は一例であり、本発明の主旨を逸脱しない範囲内において状況に応じて変更しても良い。
【００６１】
また、上記実施形態で説明したオフセット印刷処理プログラムの処理の流れ（図６を参照。）、及びプリンタ印刷処理プログラム（図７を参照。）も一例であり、本発明の主旨を逸脱しない範囲内において不要なステップを削除したり、新たなステップを追加したり、処理順序を入れ替えたりしても良い。
【図面の簡単な説明】
【００６２】
【図１】実施形態に係る印刷システムの構成を示す破断断面図である。
【図２】実施形態に係るオフセット印刷部の要部構成を示す破断断面図である。
【図３】実施形態に係るプリンタ装置の要部構成を示す破断断面図である。
【図４】実施形態に係る印刷システムの要部構成を示す概略斜視図である。
【図５】実施形態に係る印刷システムの電気系の要部構成を示すブロック図である。
【図６】実施形態に係るオフセット印刷処理プログラムの処理の流れを示すフローチャートである。
【図７】実施形態に係るプリンタ印刷処理プログラムの処理の流れを示すフローチャートである。
【図８】実施形態に係る印刷システムにより作成される印刷物の一例を示す図であり、（Ａ）は、オフセット輪転機により作成される印刷物の一例を示し、（Ｂ）は、プリンタ装置により作成される印刷物の一例を示し、（Ｃ）は、オフセット輪転機で印刷された画像にプリンタ装置で印刷された画像を重ね合わせた印刷物の一例を示す。
【符号の説明】
【００６３】
１０  印刷システム
１６  オフセット輪転機（第１の画像形成手段）
２０  電子写真装置（第２の画像形成手段）
４４  カメラ（測定手段）
６０，７０  システムコントローラ（制御手段）
５６  定着器（定着手段）
８０  ホスト装置（生成手段、補正手段）
【図１】
2010137375.tif 000003
【図２】
2010137375.tif 000004
【図３】
2010137375.tif 000005
【図５】
2010137375.tif 000006
【図６】
2010137375.tif 000007
【図７】
2010137375.tif 000008
【図４】
2010137375.tif 000009
【図８】
2010137375.tif 000010